(57)【特許請求の範囲】
【請求項１】
筐体と、
前記筐体の傾きに基づいて使用状態を検出するための使用状態検出手段と、
現在時刻を検出する時刻検出手段と、
前記使用状態検出手段により検出された使用状態、および、前記時刻検出手段により検出された現在時刻に対応するアプリケーションプログラムを起動する制御部とを備える、携帯情報表示端末。
【請求項２】
前記使用状態検出手段は、前記筐体の傾きに加えて、前記筐体の傾き値が検出時間毎に変化することも検出可能に構成されている、請求項１に記載の携帯情報表示端末。
【請求項３】
前記使用状態および前記現在時刻に応じて起動するアプリケーションプログラムをユーザが設定可能に構成されており、
前記制御部は、前記使用状態および前記現在時刻に応じてユーザにより設定された前記アプリケーションプログラムを起動するように構成されている、請求項１または２に記載の携帯情報表示端末。
【請求項４】
前記現在時刻に対応するアプリケーションプログラムを起動させるための起動時間帯の設定は、曜日ごとの起動時間帯の設定、平日と休日とを区別した起動時間帯の設定、および、曜日および休日を問わない起動時間帯の設定の少なくともいずれかの設定が可能なように構成されている、請求項３に記載の携帯情報表示端末。
【請求項５】
情報を表示する表示部をさらに備え、
前記制御部は、前記使用状態および前記現在時刻に応じてアプリケーションプログラムを起動する際に、前記表示部を使用するアプリケーションプログラムと、前記表示部を使用しないアプリケーションプログラムとを、同時に並行して起動可能なように構成されている、請求項１〜４のいずれか１項に記載の携帯情報表示端末。
【請求項６】
前記使用状態および前記現在時刻に応じて起動するアプリケーションプログラムをユーザが設定可能に構成されており、
前記表示部を使用するアプリケーションプログラムと、前記表示部を使用しないアプリケーションプログラムとを同時に並行して起動する際の起動時間帯の設定は、前記表示部を使用するアプリケーションプログラムと、前記表示部を使用しないアプリケーションプログラムとで独立して行うことが可能なように構成されている、請求項５に記載の携帯情報表示端末。
【請求項７】
前記制御部は、前記使用状態検出手段により検出された使用状態に対応するとともに、前記検出された使用状態の前の使用状態から前記検出された使用状態に遷移する際の遷移態様にも対応し、かつ、現在時刻に対応するアプリケーションプログラムを起動するように構成されている、請求項１〜６のいずれか１項に記載の携帯情報表示端末。
【請求項８】
前記使用状態は、前記筐体を手で把持して使用する第１の使用状態を含み、
前記制御部は、前記使用状態検出手段により前記第１の使用状態が検出された場合に、前記第１の使用状態に対応し、かつ、現在時刻に対応するアプリケーションプログラムを起動するように構成されている、請求項１〜７のいずれか１項に記載の携帯情報表示端末。
【請求項９】
情報を表示する表示部をさらに備え、
前記第１の使用状態は、横向きでの使用状態と縦向きでの使用状態とを含み、
前記使用状態検出手段は、横向きでの使用状態および縦向きでの使用状態を検出可能に構成されており、
前記制御部は、前記第１の使用状態であることが検出された場合には、前記第１の使用状態に対応し、かつ、現在の時刻に対応するアプリケーションプログラムを起動するとともに、横向きまたは縦向きに応じて前記表示部に表示させる表示の向きを変更するように構成されている、請求項８に記載の携帯情報表示端末。
【請求項１０】
前記使用状態は、前記筐体を載置面に立てて使用する第２の使用状態、および、前記筐体を載置面に寝かせて使用する第３の使用状態をさらに含み、
前記制御部は、前記筐体を載置面に立てて使用する前記第２の使用状態の場合には、ユーザが操作することを前提としないアプリケーションプログラムを起動するとともに、前記筐体を載置面に寝かせて使用する前記第３の使用状態の場合には、ユーザが操作することを前提とするアプリケーションプログラムを起動するように構成されている、請求項１〜９のいずれか１項に記載の携帯情報表示端末。
【請求項１１】
前記使用状態は、前記筐体を載置面に立てて使用する第２の使用状態、および、前記筐体を載置面に寝かせて使用する第３の使用状態をさらに含み、
前記使用状態検出手段は、前記筐体を載置面に立てて使用する前記第２の使用状態と前記筐体を載置面に寝かせて使用する前記第３の使用状態との前記筺体の傾きを取得するように構成されており、
前記制御部は、前記使用状態検出手段により取得される前記第２の使用状態と前記第３の使用状態との前記筺体の傾きに基づいて、前記第２の使用状態と前記第３の使用状態とを判別して特定可能に構成されている、請求項１〜１０のいずれか１項に記載の携帯情報表示端末。
【請求項１２】
前記筺体は、前記筐体を載置面に立てて使用する前記第２の使用状態と、前記筐体を載置面に寝かせて使用する前記第３の使用状態とで、異なる傾きで前記筺体を載置可能な外形形状を有し、
前記制御部は、前記使用状態検出手段により取得される前記筐体の外形形状に基づく前記第２の使用状態および前記第３の使用状態の前記筺体の異なる傾きに基づいて、前記第２の使用状態と前記第３の使用状態とを判別して特定可能に構成されている、請求項１１に記載の携帯情報表示端末。
【請求項１３】
検出された前記使用状態および現在時刻に対応するアプリケーションプログラムを起動する機能を有効または無効にすることをユーザが設定することが可能なように構成されており、
前記制御部は、前記使用状態および現在時刻に対応するアプリケーションプログラムを起動する機能が有効である場合に、検出された前記使用状態および現在時刻に対応するアプリケーションプログラムを起動するように構成されている、請求項１〜１２のいずれか１項に記載の携帯情報表示端末。
【請求項１４】
前記使用状態および起動時間帯において、使用されたアプリケーションプログラムの使用履歴を記憶する記憶部をさらに備え、
前記制御部は、前記記憶部に記憶された前記使用履歴に基づいて、検出された使用状態および現在時刻に対応するアプリケーションプログラムを決定して起動させるように構成されている、請求項１〜１３のいずれか１項に記載の携帯情報表示端末。
【請求項１５】
前記制御部は、所定の場合には、前記使用状態検出手段により検出された使用状態にかかわらず、時刻設定を優先して設定された所定の時刻に現在時刻が合致したときにアプリケーションプログラムを起動する制御を行うように構成されている、請求項１〜１４のいずれか１項に記載の携帯情報表示端末。
【発明の詳細な説明】
【技術分野】
【０００１】
この発明は、携帯情報表示端末に関し、特に、筐体を備える携帯情報表示端末に関する。
【背景技術】
【０００２】
従来、筐体を備える携帯情報表示端末が知られている（たとえば、特許文献１参照）。
【０００３】
上記特許文献１には、時刻を検出する設定時刻レジスタ（時刻検出手段）を備える携帯型コンピュータ（携帯情報表示端末）が開示されている。この特許文献１による携帯型コンピュータの設定時刻レジスタは、ユーザの好みのソフトウェア（アプリケーションプログラム）を起動させる時刻をユーザにより予め設定することが可能なように構成されている。そして、この携帯型コンピュータは、好みのソフトウェアを起動させる時刻がユーザにより予め設定されている場合には、設定されたソフトウェアを設定された時刻に自動的に起動させるように構成されている。
【先行技術文献】
【特許文献】
【０００４】
【特許文献１】特開平１１−２１２８９３号公報
【発明の概要】
【発明が解決しようとする課題】
【０００５】
上記特許文献１による携帯型コンピュータ（携帯情報表示端末）では、設定されたソフトウェアを設定された時刻に自動的に起動させることが可能である一方、ユーザによって使用されるアプリケーションプログラムは、使用状態（たとえば、携帯型コンピュータを載置面などに載置した状態、および、携帯型コンピュータがユーザにより把持されている状態など）によって異なる場合が多いと考えられる。しかしながら、上記特許文献１による携帯型コンピュータ（携帯情報表示端末）では、携帯情報表示端末の使用状態（たとえば、携帯型コンピュータを載置面などに載置した状態、および、携帯型コンピュータがユーザにより把持されている状態など）に応じて適切なアプリケーションプログラムを自動的に起動するのが困難であるという問題点がある。
【０００６】
この発明は、上記のような課題を解決するためになされたものであり、この発明の１つの目的は、時刻のみならず携帯情報表示端末の使用状態に応じて適切なアプリケーションプログラムを自動的に起動することが可能な携帯情報表示端末を提供することである。
【課題を解決するための手段および発明の効果】
【０００７】
この発明の一の局面による携帯情報表示端末は、筐体と、筐体の傾きに基づいて使用状態を検出するための使用状態検出手段と、現在時刻を検出する時刻検出手段と、使用状態検出手段により検出された使用状態、および、時刻検出手段により検出された現在時刻に対応するアプリケーションプログラムを起動する制御部とを備える。
【０００８】
この一の局面による携帯情報表示端末では、上記のように、使用状態検出手段により検出された使用状態、および、時刻検出手段により検出された現在時刻に対応するアプリケーションプログラムを起動することによって、時刻検出手段による現在時刻の検出のみに基づいてアプリケーションプログラムが起動される場合とは異なり、時刻検出手段により検出された現在時刻に対応するのみならず、使用状態検出手段により検出された使用状態にも対応する適切なアプリケーションプログラムを自動的に起動することができる。
【０００９】
上記一の局面による携帯情報表示端末において、好ましくは、使用状態検出手段は、筐体の傾きに加えて、筐体の傾き値が検出時間毎に変化することも検出可能に構成されている。また、上記一の局面による携帯情報表示端末において、好ましくは、使用状態および現在時刻に応じて起動するアプリケーションプログラムをユーザが設定可能に構成されており、制御部は、使用状態および現在時刻に応じてユーザにより設定されたアプリケーションプログラムを起動するように構成されている。このように構成すれば、ユーザが使用状態および現在時刻に応じて起動するアプリケーションプログラムを予め設定することにより、ユーザがある現在時刻において使用状態を検出した場合に、ユーザが設定したアプリケーションプログラムを自動的に起動させることができるので、使用状態および現在時刻におけるユーザの使用態様に合致したアプリケーションプログラムを起動させることができる。
【００１０】
この場合において、好ましくは、現在時刻に対応するアプリケーションプログラムを起動させるための起動時間帯の設定は、曜日ごとの起動時間帯の設定、平日と休日とを区別した起動時間帯の設定、および、曜日および休日を問わない起動時間帯の設定の少なくともいずれかの設定が可能なように構成されている。このように構成すれば、詳細に起動時間帯の設定を行うことができるので、よりユーザの使用態様（使用時刻および使用状態）に合致したアプリケーションプログラムを起動させることができる。
【００１１】
上記一の局面による携帯情報表示端末において、好ましくは、情報を表示する表示部をさらに備え、制御部は、使用状態および現在時刻に応じてアプリケーションプログラムを起動する際に、表示部を使用するアプリケーションプログラムと、表示部を使用しないアプリケーションプログラムとを、同時に並行して起動可能なように構成されている。このように構成すれば、ユーザは、表示部を使用するアプリケーションプログラムと、表示部を使用しないアプリケーションプログラムとの両方のアプリケーションプログラムを同時に使用することができる。これにより、ユーザの利便性を向上させることができる。
【００１２】
この場合において、好ましくは、使用状態および現在時刻に応じて起動するアプリケーションプログラムをユーザが設定可能に構成されており、表示部を使用するアプリケーションプログラムと、表示部を使用しないアプリケーションプログラムとを同時に並行して起動する際の起動時間帯の設定は、表示部を使用するアプリケーションプログラムと、表示部を使用しないアプリケーションプログラムとで独立して行うことが可能なように構成されている。このように構成すれば、表示部を使用するアプリケーションプログラムと、表示部を使用しないアプリケーションプログラムとで別個に詳細に起動時間帯の設定を行うことができるので、ユーザの利便性をより向上させることができる。
【００１３】
上記一の局面による携帯情報表示端末において、好ましくは、制御部は、使用状態検出手段により検出された使用状態に対応するとともに、検出された使用状態の前の使用状態から検出された使用状態に遷移する際の遷移態様にも対応し、かつ、現在時刻に対応するアプリケーションプログラムを起動するように構成されている。このように構成すれば、現在の使用状態および現在時刻のみならず１つ前の使用状態から現在の使用状態への遷移態様も考慮してアプリケーションプログラムを起動させることができるので、遷移態様の違いに起因するユーザの使用状況の違いも考慮して、より使用状況に適したアプリケーションプログラムを起動させることができる。
【００１４】
上記一の局面による携帯情報表示端末において、好ましくは、使用状態は、筐体を手で把持して使用する第１の使用状態を含み、制御部は、使用状態検出手段により第１の使用状態が検出された場合に、第１の使用状態に対応し、かつ、現在時刻に対応するアプリケーションプログラムを起動するように構成されている。このように構成すれば、筐体を手で把持して使用する第１の使用状態に対応し、かつ、現在時刻に対応するアプリケーションプログラムを起動することにより、ユーザが筐体を手で把持する使用状況およびそのときの時刻に適したアプリケーションプログラムを起動させることができる。
【００１５】
この場合において、好ましくは、情報を表示する表示部をさらに備え、第１の使用状態は、横向きでの使用状態と縦向きでの使用状態とを含み、使用状態検出手段は、横向きでの使用状態および縦向きでの使用状態を検出可能に構成されており、制御部は、第１の使用状態であることが検出された場合には、第１の使用状態に対応し、かつ、現在の時刻に対応するアプリケーションプログラムを起動するとともに、横向きまたは縦向きに応じて表示部に表示させる表示の向きを変更するように構成されている。このように構成すれば、第１の使用状態に対応し、かつ、現在時刻に対応するアプリケーションプログラムを起動することにより、ユーザが筐体を手で把持する使用状況およびそのときの時刻に適したアプリケーションプログラムを起動させることができるとともに、縦向きの使用状態で筐体を把持した場合および横向きの使用状態で筐体を把持した場合に、それぞれに合った表示の向きにより情報を表示部に表示することができる。
【００１６】
上記一の局面による携帯情報表示端末において、好ましくは、使用状態は、筐体および表示部を載置面に立てて使用する第２の使用状態、および、筐体および表示部を載置面に寝かせて使用する第３の使用状態をさらに含み、制御部は、筐体および表示部を載置面に立てて使用する第２の使用状態の場合には、ユーザが操作することを前提としないアプリケーションプログラムを起動するとともに、筐体および表示部を載置面に寝かせて使用する第３の使用状態の場合には、ユーザが操作することを前提とするアプリケーションプログラムを起動するように構成されている。このように構成すれば、ユーザが操作するのに適さない使用状態である筐体を載置面に立てて使用する第２の使用状態の場合に、ユーザが操作することを前提としないアプリケーションプログラムを起動することによって、第２の使用状態に合致したアプリケーションプログラムを起動することができる。また、ユーザが容易に操作することが可能な使用状態である筐体を載置面に寝かせて使用する第３の使用状態の場合には、ユーザが操作することを前提とするアプリケーションプログラムを起動することによって、第３の使用状態に合致したアプリケーションプログラムを起動することができる。これらの結果、同じ載置状態の中でも、操作する前提の有無に応じて、各々の使用状態に適合したアプリケーションプログラムを起動させることができる。
【００１７】
上記一の局面による携帯情報表示端末において、好ましくは、使用状態は、筐体を載置面に立てて使用する第２の使用状態、および、筐体を載置面に寝かせて使用する第３の使用状態をさらに含み、使用状態検出手段は、筐体を載置面に立てて使用する第２の使用状態と筐体を載置面に寝かせて使用する第３の使用状態との筺体の傾きを取得するように構成されており、制御部は、使用状態検出手段により取得される第２の使用状態と第３の使用状態との筺体の傾きに基づいて、第２の使用状態と第３の使用状態とを判別して特定可能に構成されている。このように構成すれば、筺体の傾きに基づいて、容易に、使用状態検出手段により、第２の使用状態と第３の使用状態とを検出することができる。
【００１８】
この場合において、好ましくは、筺体は、筐体を載置面に立てて使用する第２の使用状態と、筐体を載置面に寝かせて使用する第３の使用状態とで、異なる傾きで筺体を載置可能な外形形状を有し、制御部は、使用状態検出手段により取得される筐体の外形形状に基づく第２の使用状態および第３の使用状態の筺体の異なる傾きに基づいて、第２の使用状態と第３の使用状態とを判別して特定可能に構成されている。このように構成すれば、スタンドなどの補助具なしで筐体の外形形状により筐体を立てた第２の使用状態および寝かせた第３の使用状態にすることができ、かつ、容易に、外形形状に基づく傾きの違いにより第２の使用状態と第３の使用状態とを判別して検出することができる。
【００１９】
上記一の局面による携帯情報表示端末において、好ましくは、使用状態は、筐体を手で把持して使用する第１の使用状態、筐体を載置面に立てて使用する第２の使用状態、および、筐体を載置面に寝かせて使用する第３の使用状態を含み、使用状態検出手段は、傾きセンサを含み、制御部は、傾きセンサにより検出された傾き角度に基づいて、第２の使用状態および第３の使用状態を判別して特定するとともに、傾きセンサにより検出された傾き値の変化状態に基づいて第１の使用状態を判別して特定するように構成されている。このように構成すれば、傾きセンサにより、容易に、絶対的な傾き角度に基づいて第２の使用状態および第３の使用状態を判別して特定することができるとともに、傾き値の変化状態に基づいて第１の使用状態を判別して特定することができるので、容易に、第１の状態、第２の状態および第３の状態の３つの状態を判別して特定することができる。
【００２０】
上記一の局面による携帯情報表示端末において、好ましくは、検出された使用状態および現在時刻に対応するアプリケーションプログラムを起動する機能を有効または無効にすることをユーザが設定することが可能なように構成されており、制御部は、使用状態および現在時刻に対応するアプリケーションプログラムを起動する機能が有効である場合に、検出された使用状態および現在時刻に対応するアプリケーションプログラムを起動するように構成されている。このように構成すれば、アプリケーションプログラムを起動する機能を有効に設定されている場合のみ、使用状態および現在時刻に対応してアプリケーションプログラムを起動させることができるとともに、アプリケーションプログラムを起動する機能を無効に設定されている場合には、アプリケーションプログラムは自動的には起動せずにユーザがその時の状況に応じて手動で任意のアプリケーションプログラムを選択して起動させることができる。
【００２１】
上記一の局面による携帯情報表示端末において、好ましくは、使用状態および起動時間帯において、使用されたアプリケーションプログラムの使用履歴を記憶する記憶部をさらに備え、制御部は、記憶部に記憶された使用履歴に基づいて、検出された使用状態および現在時刻に対応するアプリケーションプログラムを決定して起動させるように構成されている。このように構成すれば、過去にユーザが使用したアプリケーションプログラムの使用履歴に基づいて、たとえば、ユーザの使用頻度が高いアプリケーションプログラムを学習させて起動することができるので、ユーザの利便性を向上させることができる。
【００２２】
上記一の局面による携帯情報表示端末において、好ましくは、制御部は、所定の場合には、使用状態検出手段により検出された使用状態にかかわらず、時刻設定を優先して設定された所定の時刻に現在時刻が合致したときにアプリケーションプログラムを起動する制御を行うように構成されている。このように構成すれば、所定の時刻に確実にアプリケーションプログラムを使用することができる。
【図面の簡単な説明】
【００２３】
【図１】本発明の第１実施形態による携帯情報表示端末の液晶表示部側の構成を説明するための全体斜視図である。
【図２】図１に示した第１実施形態による携帯情報表示端末のフレームの液晶表示部が設けられている表面とは反対側の表面側の構成を説明するための全体斜視図である。
【図３】図１に示した第１実施形態による携帯情報表示端末の長手方向を横向きにして携帯情報表示端末が把持された状態を示した斜視図である。
【図４】図１に示した第１実施形態による携帯情報表示端末の長手方向を縦向きにして携帯情報表示端末が把持された状態を示した斜視図である。
【図５】図１に示した第１実施形態による携帯情報表示端末のフレームおよび液晶表示部を載置面に立てた状態を示した斜視図である。
【図６】図１に示した第１実施形態による携帯情報表示端末のフレームおよび液晶表示部を載置面に寝かせた状態を示した斜視図である。
【図７】図１に示した第１実施形態による携帯情報表示端末の内部構成を説明するためのブロック図である。
【図８】図１に示した第１実施形態による携帯情報表示端末の変更される状態と平日時の時間帯とに対応するアプリケーションプログラムを示した図である。
【図９】図１に示した第１実施形態による携帯情報表示端末の時刻設定を優先して起動されるアプリケーションプログラムを示した図である。
【図１０】図１に示した第１実施形態による携帯情報表示端末の変更される状態と休日時の時間帯とに対応するアプリケーションプログラムを示した図である。
【図１１】図１に示した第１実施形態による携帯情報表示端末の使用状態および時間帯に対応するアプリケーションプログラムの起動および維持フローを説明するためのフローチャートである。
【図１２】図１に示した第１実施形態による携帯情報表示端末の使用状態および時間帯に対応して起動されるアプリケーションプログラムが設定される際の設定フローを説明するためのフローチャートである。
【図１３】図１に示した第１実施形態による携帯情報表示端末の時刻設定を優先して起動するアプリケーションプログラムの起動および維持フローを説明するためのフローチャートである。
【図１４】本発明の第２実施形態による携帯情報表示端末の使用状態および時間帯に対応するアプリケーションプログラムの起動および維持フローを説明するためのフローチャートである。
【図１５】本発明の第２実施形態による携帯情報表示端末の各使用状態（立てた状態、寝かせた状態および手持ち状態）で最初に一定時間以上使用されたアプリケーションプログラムを記憶部に記憶させる学習フローを説明するためのフローチャートである。
【図１６】本発明の第３実施形態による携帯情報表示端末の使用状態の遷移態様および時間帯に対応するアプリケーションプログラムの起動および維持フローを説明するためのフローチャートである。
【発明を実施するための形態】
【００２４】
以下、本発明を具体化した実施形態を図面に基づいて説明する。
【００２５】
（第１実施形態）
まず、図１〜図１０を参照して、本発明の第１実施形態による携帯情報表示端末１の構成について説明する。
【００２６】
図１および図２に示すように、本発明の第１実施形態による携帯情報表示端末１は、情報を表示する液晶表示部１０（図１参照）と、液晶表示部１０が表面に設けられるフレーム２０とにより主に構成されている。なお、液晶表示部１０は、本発明の「表示部」の一例であり、フレーム２０は、本発明の「筐体」の一例である。この携帯情報表示端末１は、ユーザにより把持された状態（図３および図４参照）で使用可能に構成されているとともに、フレーム２０および液晶表示部１０を載置面１００に立てた状態（図５参照）、および、フレーム２０および液晶表示部１０を載置面１００に寝かせた状態（図６参照）でも使用可能に構成されている。なお、ユーザにより把持された状態は、本発明の「第１の使用状態」の一例であり、フレーム２０および液晶表示部１０を載置面１００に立てた状態は、本発明の「第２の使用状態」の一例である。また、フレーム２０および液晶表示部１０を載置面１００に寝かせた状態は、本発明の「第３の使用状態」の一例である。
【００２７】
この携帯情報表示端末１は、インターネット接続可能に構成されており、インターネット接続を行うことによりストリーミング配信の受信および再生出力機能、メール機能、ビデオチャット機能およびボイスチャット機能を使用可能に構成されている。また、携帯情報表示端末１は、インターネット接続をしていない場合にも、リモコンモードに移行することにより、メディアプレーヤおよびテレビジョン装置（図示せず）などのリモコンとして使用可能に構成されている。また、携帯情報表示端末１は、フレーム２０および液晶表示部１０を立てた状態（図５参照）では、小規模のアプリケーションソフト（ガジェット）により、カレンダーや時計などを表示することが可能である。
【００２８】
次に、携帯情報表示端末１の液晶表示部１０およびフレーム２０の構成について詳細に説明する。液晶表示部１０は、図１に示すように、タッチパネル機能を有しており、ユーザが液晶表示部１０に表示された操作ボタン１０ａを押下することにより、アプリケーションプログラムに従った操作が可能なように構成されている。また、液晶表示部１０の矢印Ｘ１方向側には、カメラユニット１１が設置されている。また、カメラユニット１１の近傍には、マイクユニット１２が設置されている。
【００２９】
また、フレーム２０は、樹脂により形成されている。図１および図２に示すように、フレーム２０の液晶表示部１０が設けられている表面とは反対側の表面には、複数の突起部２１、２２および２３が一体的に設けられている。突起部２１および２２は、フレーム２０の長手方向（Ｘ方向）の両方の端部近傍にフレーム２０の短手方向（Ｙ方向）に延びるように設けられている。また、図６に示すように、突起部２１（図２参照）および２２は、それぞれ、フレーム２０の短手方向（Ｙ方向）の一方端側（矢印Ｙ１方向側）から他方端側（矢印Ｙ２方向側）に向かって徐々に厚みが増加するように構成されている。つまり、突起部２１および２２は、それぞれ、フレーム２０の長手方向（矢印Ｘ１方向および矢印Ｘ２方向）から見て、フレーム２０の短手方向の他方側（矢印Ｙ２方向側）から一方側（矢印Ｙ１方向側）に向かってテーパ状に先細る楔形形状を有するように構成されている。
【００３０】
上記のように突起部２１および２２を構成することによって、図５に示すように、突起部２１および突起部２２の矢印Ｙ２方向側の面を下にして携帯情報表示端末１を載置面１００に載置することにより、突起部２１および２２は、フレーム２０および液晶表示部１０を立てた状態でフレーム２０を支持可能である。また、図６に示すように、突起部２１および２２は、フレーム２０および液晶表示部１０を載置面１００に対して所定の角度θ傾斜させて寝かせた状態で、フレーム２０を支持可能である。
【００３１】
また、上記のように突起部２１および２２を構成することによって、図３に示すように、突起部２１および２２は、フレーム２０および液晶表示部１０の長手方向（Ｘ方向）をユーザから見て横向きにしてユーザが両手で把持することが可能である。また、図４に示すように、突起部２２は、フレーム２０および液晶表示部１０の長手方向（Ｘ方向）を縦向きにして片手（左手）で把持可能である。
【００３２】
また、突起部２３は、図２に示すように、フレーム２０の短手方向（Ｙ方向）の他方端部（矢印Ｙ２方向端部）近傍で、かつ、突起部２１および２２の間に設けられている。この突起部２３の内部には、携帯情報表示端末１の電源を供給するための二次電池（リチウムイオン電池）が内蔵（収納）されている。
【００３３】
また、突起部２１および２２の他方端部側（矢印Ｙ２方向側）の端面には、それぞれ、赤外線通信部３１および３２が内蔵されている。これら赤外線通信部３１および３２は、リモコンモードの際に、メディアプレーヤおよびテレビジョン装置（図示せず）などを操作可能な所定の信号（リモコン信号）を含む赤外線を発光するように構成されている。
【００３４】
また、液晶表示部１０の長手方向（Ｘ方向）の矢印Ｘ２方向側の部分には、図１に示すように、情報処理装置モード用各種スイッチ３３が設けられている。情報処理装置モード用各種スイッチ３３は、それぞれ、メール、ビデオおよびボイスチャットなどを処理する情報処理装置モードで使用されるスイッチである。また、情報処理装置モード用各種スイッチ３３の矢印Ｘ２方向側の近傍には、４方向移動スイッチ３４（選択スイッチ）が設けられている。また、４方向移動スイッチ３４の中心部分には、決定スイッチ３５が設けられている。これら４方向移動スイッチ３４および決定スイッチ３５は、それぞれ、リモコンモードおよび情報処理装置モードの両方で使用可能に構成されている。
【００３５】
また、４方向移動スイッチ３４の矢印Ｙ２方向側には、リモコンモードと情報処理装置モードとを切替可能なリモコンモード遷移スイッチ３６が設けられている。また、４方向移動スイッチ３４の矢印Ｙ１方向側には、リモコンモードにおけるリモコン操作対象機器（テレビなど）の表示部にＯＳＤ表示された操作画面を現在の状態から１つ前の状態に戻すための戻る機能スイッチ３７が設けられている。また、図２に示すように、フレーム２０の裏面には、電源スイッチ３８が設けられている。この電源スイッチ３８は、携帯情報表示端末１がオフ状態である場合には、押圧されることによりオン状態に起動させるとともに、後述するスタンバイモードである場合には、押圧されることによりスタンバイモードから復帰させる機能を有する。
【００３６】
また、図５に示すように、フレーム２０の矢印Ｘ１方向側の側面部２４には、複数の接続部４０が設けられている。この接続部４０は、２つのＵＳＢ接続部４１および４２と、ＨＤＭＩ接続部４３と、音声ケーブル接続部４４と、電源コネクタ４５とを含んでいる。
【００３７】
次に、携帯情報表示端末１の内部構成について説明する。携帯情報表示端末１のフレーム２０には、図７に示すように、時刻を検出するタイマー５１ａを含むとともに携帯情報表示端末１の制御を司る制御部（ＣＰＵ）５１と、記憶部（メモリ）５２と、傾きセンサ５３とが設けられている。なお、タイマー５１ａは、本発明の「時刻検出手段」の一例であり、傾きセンサ５３は、本発明の「使用状態検出手段」の一例である。
【００３８】
記憶部５２は、制御部５１により実行されるアプリケーションプログラムを記憶している。また、記憶部５２は、ユーザの手で把持して使用する状態（以下、手持ち状態（図３および図４参照）と呼ぶ）、フレーム２０および液晶表示部１０を載置面１００に立てて使用する状態（以下、立てた状態（図５参照）と呼ぶ）、および、フレーム２０および液晶表示部１０を載置面１００に寝かせて使用する状態（以下、寝かせた状態（図６参照）と呼ぶ）において使用されたアプリケーションプログラムの使用履歴を記憶している。
【００３９】
ここで、第１実施形態では、傾きセンサ５３は、フレーム２０（図１参照）の傾きを取得する機能を有する。傾きセンサ５３は、立てた状態（図５参照）、寝かせた状態（図６参照）および手持ち状態（図３および図４参照）のいずれの使用状態であるかを検出（判別）するために設けられている。
【００４０】
また、上述したフレーム２０の外形形状により、立てた状態（図５参照）での傾きと、寝かせた状態（図６参照）での傾きとは、フレーム２０の載置面１００に対する角度が互いに９０度以上異なるため、制御部５１は、フレーム２０の載置面１００に対する異なる傾きに基づいて容易に各状態を判別して特定することが可能である。
【００４１】
また、手持ち状態（図３および図４参照）では、ユーザが微妙に動くことに起因して傾きセンサ５３により検出される検出値が検出時間毎に変化するため、制御部５１は、立てた状態および寝かせた状態と、手持ち状態とを区別することが可能となる。また、傾きセンサ５３は、手持ち状態（図３および図４参照）である場合にも、フレーム２０の長手方向を縦にして使用する縦向きでの使用状態（以下、縦持ち状態（図４参照）と呼ぶ）とフレーム２０の長手方向を横にして使用する横向きでの使用状態（以下、横持ち状態（図３参照）と呼ぶ）とを検出可能に構成されている。また、縦持ち状態と横持ち状態とでは、図３および図４に示すように、液晶表示部１０が約９０度回転されるため、傾きセンサ５３は、縦持ち状態と横持ち状態との異なる傾きを容易に判別して特定することが可能である。
【００４２】
ここで、第１実施形態では、制御部５１は、傾きセンサ５３により取得された傾きに基づいてフレーム２０および液晶表示部１０の使用状態を判別して特定するように構成されている。具体的には、制御部５１は、立てた状態（図５参照）、寝かせた状態（図６参照）および手持ち状態（図３および図４参照）のいずれであるかを判別して特定するように構成されている。また、制御部５１は、使用状態（傾きセンサ５３による傾き値）が変更された際に、現在の時間帯（現在時刻）を検出するように構成されている。そして、制御部５１は、傾きセンサ５３により検出された使用状態、および、タイマー５１ａにより検出された現在の時間帯に対応するアプリケーションプログラムを自動的に起動するように構成されている。
【００４３】
たとえば、第１実施形態では、制御部５１は、図８に示すように、２３時から翌日の６時の間の時間帯で立てた状態（図５参照）に変更されたと判別して特定した場合には、目覚し時計のアプリケーションプログラムＡを起動可能に構成されている。また、たとえば、制御部５１は、６時から８時の間の時間帯で立てた状態（図５参照）に変更されたと判別して特定した場合には、液晶表示部１０にニュースや時計などを表示可能なガジェット（アプリケーションプログラムＢ）を起動可能に構成されている。このように、制御部５１は、立てた状態（図５参照）であると特定した場合には、ユーザが操作することを前提としないアプリケーションプログラムＡおよびＢを起動するように構成されている。
【００４４】
また、立てた状態の場合には、制御部５１は、使用状態および現在の時間帯（現在時刻）に応じてアプリケーションプログラムを起動する際に、液晶表示部１０を使用するアプリケーションプログラム（たとえば、アプリケーションプログラムＡおよびＢ）と、液晶表示部１０を使用しないアプリケーションプログラムＸとを、同時に並行して起動可能なように構成されている。ここで、液晶表示部１０を使用しないアプリケーションプログラムＸは、たとえば、カメラユニット１１を使用する侵入者などを監視するアプリケーションプログラムやインターネットラジオのアプリケーションプログラムである。
【００４５】
また、第１実施形態では、たとえば、制御部５１は、８時から１９時の間の時間帯で手持ち状態（図３および図４参照）または寝かせた状態（図６参照）に変更されたと判別して特定した場合には、メディアプレーヤのアプリケーションプログラムＣが起動されるように構成されている。また、たとえば、制御部５１は、１９時から２３時の間の時間帯で手持ち状態（図３および図４参照）または寝かせた状態（図６参照）に変更されたと判別して特定した場合には、リモコンモードに対応したリモコンのアプリケーションプログラムＤが起動されるように構成されている。このように、制御部５１は、手持ち状態（図３および図４参照）または寝かせた状態（図６参照）であると特定した場合には、ユーザが操作することを前提とするアプリケーションプログラムＣおよびＤを起動するように構成されている。
【００４６】
また、制御部５１は、使用状態にかかわらず時刻設定を優先して所定の時刻にアプリケーションプログラムを起動する際には、検出された使用状態にかかわらず、所定の時刻にアプリケーションプログラムが起動するように制御可能に構成されている。たとえば、制御部５１は、図９に示すように、タイマー５１ａに基づいて時刻が６時になったと判断した場合には、フレーム２０がいずれの使用状態（立てた状態、寝かせた状態および手持ち状態）であっても、インターネットラジオのアプリケーションプログラムＺを起動するように構成されている。
【００４７】
また、第１実施形態では、携帯情報表示端末１は、使用状態（立てた状態、寝かせた使用する状態および手持ち状態）および現在の時間帯に応じて起動するアプリケーションプログラムをユーザが設定することが可能なように構成されている。また、携帯情報表示端末１は、使用状態にかかわらず時刻設定を優先して所定の時刻にアプリケーションプログラムを起動させることをユーザが予め設定することが可能なように構成されている。また、携帯情報表示端末１は、使用状態および現在の時間帯に対応するアプリケーションプログラムを自動的に起動する機能（自動起動モード）を無効にすることが可能なように構成されている。つまり、携帯情報表示端末１は、傾きに基づいて判定された使用状態（立てた状態、寝かせた使用する状態および手持ち状態）および現在の時間帯に対応するアプリケーションプログラムを起動する機能を有効または無効にすることをユーザが設定することが可能なように構成されている。
【００４８】
また、携帯情報表示端末１では、上述した液晶表示部１０を使用するアプリケーションプログラム（たとえば、アプリケーションプログラムＡおよびＢ）と、液晶表示部１０を使用しないアプリケーションプログラム（たとえば、アプリケーションプログラムＸ）とを同時に並行して起動する際の起動時間帯の設定は、液晶表示部１０を使用するアプリケーションプログラムと、液晶表示部１０を使用しないアプリケーションプログラムとで独立して行うことが可能なように構成されている。
【００４９】
また、携帯情報表示端末１では、図１０に示すように、上述した現在の時間帯に対応するアプリケーションプログラムを起動させるための起動時間帯の設定は、曜日ごとの起動時間帯の設定、平日と休日とを区別した起動時間帯の設定、および、曜日および休日を問わない起動時間帯の設定のいずれにおいても設定が可能なように構成されている。
【００５０】
次に、図３〜図７および図１１を参照して、第１実施形態による携帯情報表示端末１の使用状態に対応するアプリケーションプログラムの起動および維持フローについて説明する。
【００５１】
図１１に示すように、制御部５１（図７参照）が傾きセンサ５３により取得された傾き値が変化したこと（イベント発生）を認識することにより、携帯情報表示端末１の使用状態に対応するアプリケーションプログラムの起動フローがスタートされる。まず、ステップＳ１において、制御部５１により、傾きセンサ５３から取得した傾き値が認識（評価）され、傾き値が記憶部５２に記憶される。そして、ステップＳ２において、今回記憶された傾き値と、記憶された過去の傾き値と今回記憶された傾き値との変化の状態とに基づいて、携帯情報表示端末１が立てた状態（図５参照）、寝かせた状態（図６参照）、および、手持ち状態（図３および図４参照）いずれの状態であるかが決定される。すなわち、記憶された過去の傾き値および今回記憶された傾き値が小刻みに変化している場合には、手持ち状態と決定される。また、記憶された過去の傾き値および今回記憶された傾き値が小刻みに変化しておらずに、今回記憶された傾き値が立てた状態の傾き値の範囲内である場合には、立てた状態と決定され、今回記憶された傾き値が寝かせた状態の傾き値の範囲内である場合には、寝かせた状態と決定される。
【００５２】
その後、ステップＳ３において、制御部５１により、決定された状態が傾きセンサ５３により取得された傾き値が変化する前（イベント発生前）の状態から変更されたか否かが判断される。そして、ステップＳ３において、決定された状態が傾きセンサ５３により取得された傾き値が変化する前（イベント発生前）の状態から変更されていないと判断された場合には、ステップＳ４に進む。そして、ステップＳ４において、状態の変更がされていないので、アプリケーションプログラムが変更されることなく、アプリケーションプログラムはそのまま維持され、ステップＳ５に進む。そして、ステップＳ５において、液晶表示部１０に表示されている表示向きも変更されることなく、そのまま維持され、アプリケーションプログラムの起動および維持フローが終了する。
【００５３】
また、ステップＳ３において、決定された状態が傾きセンサ５３により取得された傾き値が変化する前（イベント発生前）の状態から変更されたと判断された場合には、ステップＳ６に進む。そして、ステップＳ６において、制御部５１により、現在の時間が確認され、ステップＳ７に進む。
【００５４】
そして、ステップＳ７において、制御部５１により、現在の時間と変更された使用状態とに対応するアプリケーションプログラムが設定されているか否かが判断される。そして、ステップＳ７において、現在の時間と変更された使用状態とに対応するアプリケーションプログラムが設定されていないと判断された場合には、ステップＳ４およびステップＳ５の順に進み、アプリケーションプログラムの起動および維持フローが終了する。また、ステップＳ７において、現在の時間と変更された使用状態とに対応するアプリケーションプログラムが設定されていると判断された場合には、ステップＳ８に進む。
【００５５】
そして、ステップＳ８において、制御部５１により、変更された使用状態と現在の時間帯とに対応する設定されていたアプリケーションプログラムが現在使用中のアプリケーションプログラムと同じアプリケーションプログラムであるか否かが判断される。そして、ステップＳ８において、設定されていたアプリケーションプログラムが現在使用中のアプリケーションプログラムと同じアプリケーションプログラムであると判断された場合には、アプリケーションプログラムを変更する必要がないので、ステップＳ４およびステップＳ５の順に進み、アプリケーションプログラムの起動および維持フローが終了する。また、ステップＳ８において、設定されていたアプリケーションプログラムが現在使用中のアプリケーションプログラムと同じアプリケーションプログラムではないと判断された場合には、ステップＳ９に進む。
【００５６】
その後、ステップＳ９において、ユーザにより設定された変更された使用状態と現在の時間帯とに対応するアプリケーションプログラムが起動される。すなわち、立てた状態（図５参照）に変更された場合には、ユーザが操作することを前提としないガジェット（時計、カレンダーおよびニュースなどを表示するアプリケーション）などのアプリケーションプログラムが起動され、寝かせた状態（図６参照）に変更された場合には、ユーザが操作することを前提とするメディアプレーヤアプリケーションまたはリモコンアプリケーションなどのアプリケーションプログラムが起動される。また、手持ち状態（図３および図４参照）に変更された場合には、ストリーミング動画を再生可能なアプリケーションなどのアプリケーションプログラムが起動される。
【００５７】
そして、ステップＳ１０において、状態に対応する表示向きに表示方向が変更または表示向きが維持され、アプリケーションプログラムの起動および維持フローが終了する。具体的には、たとえば、立てた状態と、寝かせた状態または手持ち状態の横持ち状態との間で状態が変更された場合には、液晶表示部１０に表示される表示の向きは１８０度回転される。また、手持ち状態のうちの縦持ち状態と、立てた状態、寝かせた状態または手持ち状態の横持ち状態との間で状態が変更された場合には、液晶表示部１０に表示される表示の向きは９０度または２７０度回転される。また、手持ち状態のうちの横持ち状態と寝かせた状態との間で状態が変更された場合には、液晶表示部１０に表示される表示の向きは変更されずにそのまま維持される。
【００５８】
次に、図３〜図７および図１２を参照して、第１実施形態による携帯情報表示端末１の使用状態が変更された際に、変更された使用状態に対応して自動的に起動させるアプリケーションプログラムがユーザにより設定される際の設定フローについて説明する。
【００５９】
まず、図１２に示すように、ステップＳ２１において、制御部５１（図７参照）により、使用状態が変更された際に変更された使用状態に対応するアプリケーションプログラムを自動的に起動する自動起動モードがユーザにより選択されたか否かが判断される。すなわち、自動起動モードが有効または無効のいずれになったのかが判断される。そして、ステップＳ２１において、使用状態に対応するアプリケーションプログラムを起動する自動起動モードがオフ（無効）にされたと判断された場合には、アプリケーションプログラムの設定が行われずにアプリケーションプログラムの設定フローが終了する。また、ステップＳ２１において、使用状態に対応するアプリケーションプログラムを起動する自動起動モードがオン（無効）にされたと判断された場合には、ステップＳ２２に進む。
【００６０】
ステップＳ２２においては、制御部５１により、フレーム２０および液晶表示部１０を載置面１００に立てて使用する状態（立てた状態（図５参照））時に自動的に起動するアプリケーションプログラムがユーザにより入力されたか否かが判断される。そして、ステップＳ２２において、立てた状態（図５参照）時に自動的に起動するアプリケーションプログラムがユーザにより入力されたと判断された場合には、ステップＳ２３に進む。
【００６１】
そして、ステップＳ２３において、制御部５１により、ステップＳ２２において入力されたアプリケーションプログラムを起動させる時間帯がユーザにより入力されたか否かが判断される。そして、ステップＳ２３において、入力されたアプリケーションプログラムを起動させる時間帯が入力されたと判断された場合には、ステップＳ２４に進み、ステップＳ２４において、ユーザにより入力されたアプリケーションプログラムおよび時間帯が記憶部（メモリ）５２に書き込まれることにより設定され、ステップＳ２５に進む。また、ステップＳ２３において、入力されたアプリケーションプログラムを起動させる時間帯が入力されるまでこの判断が繰り返される。
【００６２】
また、ステップＳ２２において、立てた状態（図５参照）時に自動的に起動するアプリケーションプログラムがユーザにより入力されていないと判断された場合には、ステップＳ２５に進む。
【００６３】
その後、ステップＳ２５において、制御部５１により、フレーム２０および液晶表示部１０を載置面１００に寝かせて使用する状態（寝かせた状態（図６参照））時に自動的に起動するアプリケーションプログラムがユーザにより入力されたか否かが判断される。そして、ステップＳ２５において、寝かせた状態（図６参照）時に自動的に起動するアプリケーションプログラムがユーザにより入力されたと判断された場合には、ステップＳ２６に進む。
【００６４】
そして、ステップＳ２６において、制御部５１により、ステップＳ２５において入力されたアプリケーションプログラムを起動させる時間帯がユーザにより入力されたか否かが判断される。そして、ステップＳ２６において、入力されたアプリケーションプログラムを起動させる時間帯が入力されたと判断された場合には、ステップＳ２７に進み、ステップＳ２７において、ユーザにより入力されたアプリケーションプログラムおよび時間帯が記憶部（メモリ）５２に書き込まれることにより設定され、ステップＳ２８に進む。また、ステップＳ２６において、入力されたアプリケーションプログラムを起動させる時間帯が入力されるまでこの判断が繰り返される。
【００６５】
また、ステップＳ２５において、寝かせた状態（図６参照）時に自動的に起動するアプリケーションプログラムがユーザにより入力されていないと判断された場合には、ステップＳ２８に進む。
【００６６】
ステップＳ２８においては、制御部５１により、フレーム２０がユーザにより把持された状態（手持ち状態（図３および図４参照））時に自動的に起動するアプリケーションプログラムがユーザにより入力されたか否かが判断される。そして、ステップＳ２８において、手持ち状態（図３および図４参照）時に自動的に起動するアプリケーションプログラムがユーザにより入力されたと判断された場合には、ステップＳ２９に進む。
【００６７】
そして、ステップＳ２９において、制御部５１により、ステップＳ２８において入力されたアプリケーションプログラムを起動させる時間帯がユーザにより入力されたか否かが判断される。そして、ステップＳ２９において、入力されたアプリケーションプログラムを起動させる時間帯が入力されたと判断された場合には、ステップＳ３０に進み、ステップＳ３０において、ユーザにより入力されたアプリケーションプログラムおよび時間帯が記憶部（メモリ）５２に書き込まれることにより設定され、アプリケーションプログラムの設定フローが終了する。また、ステップＳ２９において、入力されたアプリケーションプログラムを起動させる時間帯が入力されるまでこの判断が繰り返される。
【００６８】
また、ステップＳ２８において、手持ち状態（図３および図４参照）時に自動的に起動するアプリケーションプログラムがユーザにより入力されていないと判断された場合には、アプリケーションプログラムの設定が行われずにアプリケーションプログラムの設定フローが終了する。
【００６９】
次に、図７、図９および図１３を参照して、第１実施形態による携帯情報表示端末１の時刻設定を優先する場合のアプリケーションプログラムの起動および維持フローについて説明する。
【００７０】
図１３に示すように、制御部５１（図７参照）のタイマー５１ａがユーザにより予め設定された時間になったこと（イベント発生）を制御部５１が認識することにより、時刻設定を優先するアプリケーションプログラムの起動および維持フローがスタートされる。まず、ステップＳ３１において、制御部５１により、時刻設定を優先して起動するアプリケーションプログラムが設定されているか否かが判断される。そして、ステップＳ３１において、時刻設定を優先して起動するアプリケーションプログラムが設定されていないと判断された場合には、ステップＳ３２に進む。そして、ステップＳ３２において、状態の変更がされていないので、アプリケーションプログラムが変更されることなく、アプリケーションプログラムはそのまま維持され、アプリケーションプログラムの起動および維持フローが終了する。また、ステップＳ３１において、時刻設定を優先して起動するアプリケーションプログラムが設定されていると判断された場合には、ステップＳ３３に進む。
【００７１】
そして、ステップＳ３３において、制御部５１により、時刻設定を優先して起動する設定されていたアプリケーションプログラムが現在使用中のアプリケーションプログラムと同じアプリケーションプログラムであるか否かが判断される。そして、ステップＳ３３において、設定されていたアプリケーションプログラムが現在使用中のアプリケーションプログラムと同じアプリケーションプログラムであると判断された場合には、アプリケーションプログラムを変更する必要がないので、ステップＳ３２に進み、アプリケーションプログラムの起動および維持フローが終了する。また、ステップＳ３３において、設定されていたアプリケーションプログラムが現在使用中のアプリケーションプログラムと同じアプリケーションプログラムではないと判断された場合には、ステップＳ３４に進む。
【００７２】
その後、ステップＳ３４において、ユーザにより設定された時刻設定を優先して起動するアプリケーションプログラムが起動される。たとえば、図９に示すように、６時になった場合に、インターネットラジオのアプリケーションプログラムＺが起動される。その後、アプリケーションプログラムの起動および維持フローが終了する。
【００７３】
第１実施形態では、上記のように、傾きセンサ５３により検出された使用状態、および、タイマー５１ａにより検出された現在の時間帯（現在時刻）に対応するアプリケーションプログラムを起動することによって、タイマー５１ａによる現在の時間帯の検出のみに基づいてアプリケーションプログラムが起動される場合とは異なり、タイマー５１ａにより検出された現在時刻に対応するのみならず、傾きセンサ５３により検出された使用状態にも対応する適切なアプリケーションプログラムを自動的に起動することができる。
【００７４】
また、第１実施形態では、上記のように、使用状態および現在の時間帯（現在時刻）に応じて起動するアプリケーションプログラムをユーザが設定可能に構成することによって、ユーザがある現在の時間帯において使用状態を変更した場合に、ユーザが設定したアプリケーションプログラムを自動的に起動させることができるので、使用状態および現在の時間帯におけるユーザの使用態様に合致したアプリケーションプログラムを起動させることができる。
【００７５】
また、第１実施形態では、上記のように、現在の時間帯（現在時刻）に対応するアプリケーションプログラムを起動させるための起動時間帯の設定を、曜日ごとの起動時間帯の設定、平日と休日とを区別した起動時間帯の設定、および、曜日および休日を問わない起動時間帯の設定のいずれかの設定が可能なように構成することによって、詳細に起動時間帯の設定を行うことができるので、よりユーザの使用態様（使用時刻および使用状態）に合致したアプリケーションプログラムを起動させることができる。
【００７６】
また、第１実施形態では、上記のように、使用状態および現在の時間帯（現在時刻）に応じてアプリケーションプログラムを起動する際に、液晶表示部１０を使用するアプリケーションプログラム（ＡまたはＢ）と、液晶表示部１０を使用しないアプリケーションプログラムＸとを、同時に並行して起動可能なように構成することによって、ユーザは、液晶表示部１０を使用するアプリケーションプログラム（ＡまたはＢ）と、液晶表示部１０を使用しないアプリケーションプログラムＸとの両方のアプリケーションプログラムを同時に使用することができる。これにより、ユーザの利便性を向上させることができる。
【００７７】
また、第１実施形態では、上記のように、液晶表示部１０を使用するアプリケーションプログラムと、液晶表示部１０を使用しないアプリケーションプログラムとを同時に並行して起動する際の起動時間帯の設定を、液晶表示部１０を使用するアプリケーションプログラムと、液晶表示部１０を使用しないアプリケーションプログラムとで独立して行うことが可能なように構成することによって、液晶表示部１０を使用するアプリケーションプログラムと、液晶表示部１０を使用しないアプリケーションプログラムとで別個に詳細に起動時間帯の設定を行うことができるので、ユーザの利便性をより向上させることができる。
【００７８】
また、第１実施形態では、上記のように、手持ち状態であることが検出された場合に、手持ち状態に対応し、かつ、現在時刻に対応するアプリケーションプログラムを起動するように構成することによって、手持ち状態に対応し、かつ、現在時刻に対応するアプリケーションプログラムを起動することにより、手持ち状態およびそのときの時刻に適したアプリケーションプログラムを起動させることができる。
【００７９】
また、第１実施形態では、上記のように、手持ち状態であることが検出された場合に、手持ち状態に対応し、かつ、現在の時刻に対応するアプリケーションプログラムを起動するとともに、横向きまたは縦向きに応じて液晶表示部１０に表示させる表示の向きを変更するように構成することによって、手持ち状態に対応し、かつ、現在時刻に対応するアプリケーションプログラムを起動することにより、手持ち状態およびそのときの時刻に適したアプリケーションプログラムを起動させることができるとともに、縦向きの使用状態でフレーム２０を把持した場合および横向きの使用状態でフレーム２０を把持した場合に、それぞれに合った表示の向きにより情報を液晶表示部１０に表示することができる。
【００８０】
また、第１実施形態では、上記のように、ユーザが操作するのに適さない使用状態であるフレーム２０を載置面に立てて使用する立てた状態の場合に、ユーザが操作することを前提としないアプリケーションプログラム（ガジェットなど）を起動することによって、立てた状態に合致したアプリケーションプログラムを起動することができる。また、ユーザが容易に操作することが可能な使用状態である寝かせた状態の場合には、ユーザが操作することを前提とするアプリケーションプログラムを起動することによって、寝かせた状態に合致したアプリケーションプログラムを起動することができる。これらの結果、同じ載置状態の中でも、操作する前提の有無に応じて、各々の使用状態に適合したアプリケーションプログラムを起動させることができる。
【００８１】
また、第１実施形態では、上記のように、傾きセンサ５３により取得される立てた状態と寝かせた状態とのフレーム２０の傾きに基づいて、立てた状態と寝かせた状態とを判別して特定可能に構成することによって、フレーム２０の傾きに基づいて、容易に、傾きセンサ５３により、立てた状態と寝かせた状態とを検出することができる。
【００８２】
また、第１実施形態では、上記のように、傾きセンサ５３により取得されるフレーム２０の外形形状に基づく立てた状態および寝かせた状態のフレーム２０の異なる傾きに基づいて、立てた状態と寝かせた状態とを判別して特定可能に構成することによって、スタンドなどの補助具なしでフレーム２０の外形形状によりフレーム２０および液晶表示部１０を立てた立てた状態および寝かせた状態にすることができ、かつ、容易に、外形形状に基づく傾きの違いにより立てた状態と寝かせた状態とを判別して検出することができる。
【００８３】
また、第１実施形態では、上記のように、傾きセンサ５３により検出された傾き角度に基づいて、立てた状態および寝かせた状態を判別して特定するとともに、傾きセンサ５３により検出された傾き値の変化状態に基づいて手持ち状態を判別して特定することによって、傾きセンサ５３により、容易に、絶対的な傾き角度に基づいて立てた状態および寝かせた状態を判別して特定することができるとともに、傾き値の変化状態に基づいて手持ち状態を判別して特定することができるので、容易に、立てた状態、寝かせた状態および手持ち状態の３つの状態を判別して特定することができる。
【００８４】
また、第１実施形態では、上記のように、検出された使用状態に対応するアプリケーションプログラムを起動する機能（自動起動モード）を有効または無効にすることをユーザにより設定することが可能なように構成されているとともに、使用状態に対応するアプリケーションプログラムを起動する機能が有効である場合に、検出された使用状態に対応するアプリケーションプログラムを起動することによって、アプリケーションプログラムを起動する機能を有効に設定されている場合のみ、使用状態に対応してアプリケーションプログラムを起動させることができるとともに、アプリケーションプログラムを起動する機能を無効に設定されている場合には、アプリケーションプログラムは自動的には起動せずにユーザがその時の状況に応じて手動で任意のアプリケーションプログラムを選択して起動させることができる。
【００８５】
また、第１実施形態では、上記のように、所定の場合には、傾きセンサ５３により検出された使用状態にかかわらず、時刻設定を優先して設定された所定の時刻に現在時刻が合致したときにアプリケーションプログラム（たとえば、インターネットラジオのアプリケーションンプログラムＺ）を起動する制御を行うことによって、所定の時刻に確実にアプリケーションプログラム（たとえば、インターネットラジオのアプリケーションンプログラムＺ）を使用することができる。
【００８６】
（第２実施形態）
次に、図３〜図７を参照して、本発明の第２実施形態による携帯情報表示端末について説明する。この第２実施形態では、携帯情報表示端末１の使用状態および現在の時間帯（現在時刻）に対応して自動的に起動させるアプリケーションプログラムを設定可能な上記第１実施形態とは異なり、使用状態および現在の時間帯（現在時刻）ごとに記憶された使用履歴に基づいて、自動的に起動させるアプリケーションプログラムを決定する例について説明する。
【００８７】
第２実施形態では、図７に示すように、制御部（ＣＰＵ）１５１は、記憶部５２に記憶された使用履歴に基づいて、使用状態および現在の時間帯（現在時刻）に対応するアプリケーションプログラムを決定して起動させるように構成されている。たとえば、制御部１５１は、ある時間帯において、寝かせた状態（図６参照）に別の使用状態から切り替えられた後、寝かせた状態で最初に一定時間以上使用されたアプリケーションプログラムを記憶部５２に記憶（学習）させるように構成されている。そして、制御部１５１は、別の使用状態から次に寝かせた状態に切り替えられた場合に、前回に最初に一定時間以上使用されたアプリケーションプログラムを起動させるように構成されている。
【００８８】
また、たとえば、制御部１５１は、ある時間帯において、立てた状態（図５参照）に別の使用状態から切り替えられた後、立てた状態で最初に一定時間以上使用されたアプリケーションプログラムを記憶部５２に記憶（学習）させるように構成されている。そして、制御部１５１は、別の使用状態から次に立てた状態に切り替えられた場合に、前回に最初に一定時間以上使用されたアプリケーションプログラムを起動させるように構成されている。さらに、制御部１５１は、ユーザの手で把持して使用する状態（手持ち状態（図３および図４参照））に別の使用状態から切り替えられた後、手持ち状態で最初に一定時間以上使用されたアプリケーションプログラムを記憶部５２に記憶（学習）させるように構成されている。そして、制御部１５１は、別の使用状態から次に手持ち状態に切り替えられた場合に、前回に最初に一定時間以上使用されたアプリケーションプログラムを起動させるように構成されている。
【００８９】
次に、図３〜図７および図１４を参照して、第２実施形態による携帯情報表示端末の使用状態に対応するアプリケーションプログラムの起動および維持フローについて説明する。この第２実施形態のフローのうち、ステップＳ１〜ステップＳ６は、上記第１実施形態の携帯情報表示端末１の使用状態に対応するアプリケーションプログラムの起動および維持フローと同様である。以下、第２実施形態による携帯情報表示端末の使用状態に対応するアプリケーションプログラムの起動および維持フローのうち、第１実施形態の携帯情報表示端末１の使用状態および時間帯に対応するアプリケーションプログラムの起動および維持フローとは異なる処理について説明する。
【００９０】
図１４に示すように、ステップＳ６において現在の時間が確認された後に、ステップＳ４７において、制御部１５１により、変更された使用状態および現在の時間帯（時刻）に対応するアプリケーションプログラムが記憶（学習）されているか否かが判断される。つまり、ステップＳ４７では、後述するアプリケーションプログラムの記憶（学習）フローにおいて、現在の時間帯において立てた状態（図５参照）、寝かせた状態（図６参照）および手持ち状態（図３および図４参照）のそれぞれについて自動的に起動させるアプリケーションプログラムがユーザにより記憶（学習）されているか否かが判断される。そして、ステップＳ４７において、現在の時間帯および変更された状態に対応するアプリケーションプログラムが記憶（学習）されていないと判断された場合には、ステップＳ４およびステップＳ５の順に進み、アプリケーションプログラムの起動および維持フローが終了する。また、ステップＳ４７において、現在の時間帯および変更された状態に対応するアプリケーションプログラムが記憶（学習）されていると判断された場合には、ステップＳ４８に進む。
【００９１】
そして、ステップＳ４８において、制御部１５１により、変更された使用状態と現在の時間帯とに対応する記憶されているアプリケーションプログラムが現在使用中のアプリケーションプログラムと同じアプリケーションプログラムであるか否かが判断される。そして、ステップＳ４８において、記憶されていたアプリケーションプログラムが現在使用中のアプリケーションプログラムと同じアプリケーションプログラムであると判断された場合には、アプリケーションプログラムを変更する必要がないので、ステップＳ４およびステップＳ５の順に進み、アプリケーションプログラムの起動および維持フローが終了する。また、ステップＳ４８において、記憶されていたアプリケーションプログラムが現在使用中のアプリケーションプログラムと同じアプリケーションプログラムではないと判断された場合には、ステップＳ４９に進む。
【００９２】
その後、ステップＳ４９において、記憶部５２に記憶された変更された使用状態と現在の時間帯とに対応するアプリケーションプログラムが起動される。そして、ステップＳ５０において、状態に対応する表示向きに表示方向が変更または表示向きが維持され、アプリケーションプログラムの起動および維持フローが終了する。
【００９３】
次に、図３〜図７および図１５を参照して、第２実施形態による携帯情報表示端末の各使用状態（立てた状態、寝かせた状態および手持ち状態）で最初に一定時間以上使用されたアプリケーションプログラムを記憶部５２に記憶させるアプリケーションプログラムの学習フローについて説明する。
【００９４】
まず、図１５に示すように、ステップＳ５１において、制御部１５１（図７参照）により、現在使用されているアプリケーションプログラムが、使用状態が変更された後、一定時間以上使用された最初のアプリケーションプログラムであるか否かが判断される。そして、ステップＳ５１において、現在使用されているアプリケーションプログラムが、使用状態が変更された後一定時間以上使用された最初のアプリケーションプログラムではないと判断された場合には、ステップＳ５１の判断が繰り返される。また、ステップＳ５１において、現在使用されているアプリケーションプログラムが、使用状態が変更された後一定時間以上使用された最初のアプリケーションプログラムであると判断された場合には、ステップＳ５２に進む。
【００９５】
そして、ステップＳ５２において、制御部１５１により、次回、現在と同じ状態に変更された時に起動するアプリケーションプログラムとして、現在使用されているアプリケーションプログラムが記憶部５２に記憶（学習）され、ステップＳ５３に進む。その後、ステップＳ５３において、現在の時間帯が記憶部５２に記憶され、携帯情報表示端末の各使用状態（立てた状態（図５参照）、寝かせた状態（図６参照）および手持ち状態（図３および図４参照））で最初に一定時間以上使用されたアプリケーションプログラムを記憶部５２に記憶させる学習フローが終了する。
【００９６】
第２実施形態では、上記のように、記憶部５２に記憶された使用履歴に基づいて、使用状態および現在の時間帯に対応するアプリケーションプログラムを決定して起動させることによって、過去にユーザが使用したアプリケーションプログラムの使用履歴に基づいて、状態が変更されてから最初に一定時間以上使用されるようなユーザの使用頻度が高いアプリケーションプログラムを学習させて起動することができるので、ユーザの利便性を向上させることができる。
【００９７】
（第３実施形態）
次に、図３〜図７を参照して、本発明の第３実施形態による携帯情報表示端末について説明する。この第３実施形態では、携帯情報表示端末の使用状態および現在の時間帯（現在時刻）に対応してアプリケーションプログラムを自動的に起動させる上記第１および第２実施形態とは異なり、携帯情報表示端末の使用状態変更の遷移および現在の時間帯（現在時刻）に対応してアプリケーションプログラムを自動的に起動させる例について説明する。
【００９８】
第３実施形態では、制御部２５１（図７参照）は、傾きセンサ５３による検出結果に基づいてフレーム２０および液晶表示部１０の使用状態（図３〜図６参照）を判別して特定するように構成されている。さらに、制御部２５１は、前に特定した使用状態から今回特定した使用状態への状態変更の遷移態様を認識して決定する機能を有する。そして、制御部２５１は、検出された使用状態の遷移態様および現在の時間帯（現在時刻）に対応するアプリケーションプログラムを自動的に起動することが可能なように構成されている。たとえば、制御部２５１は、ある時間帯において、立てた状態（図５参照）から寝かせた状態（図６参照）に使用状態が変更されたという遷移態様を認識して決定した場合には、所定のアプリケーションプログラムを起動するように構成されている。また、たとえば、制御部２５１は、ある時間帯において、手持ち状態（図３および図４参照）から寝かせた状態（図６参照）に使用状態が変更されたという遷移態様を認識して決定した場合には、所定のアプリケーションプログラムとは異なるアプリケーションプログラムを起動することが可能なように構成されている。つまり、制御部２５１は、変更された後の状態が同じ状態であっても、変更される前の状態が異なる場合には、状態の遷移態様が異なるため、異なるアプリケーションプログラムを起動することが可能なように構成されている。
【００９９】
次に、図３〜図７および図１６を参照して、第３実施形態による携帯情報表示端末の使用状態に対応するアプリケーションプログラムの起動および維持フローについて説明する。この第３実施形態のフローのうち、ステップＳ１〜ステップＳ５は、上記第１および第２実施形態の携帯情報表示端末の使用状態および現在の時間帯に対応するアプリケーションプログラムの起動および維持フローと同様である。以下、第３実施形態による携帯情報表示端末の使用状態に対応するアプリケーションプログラムの起動および維持フローのうち、第１および第２実施形態の携帯情報表示端末の使用状態に対応するアプリケーションプログラムの起動および維持フローとは異なる処理について説明する。
【０１００】
図１６に示すように、ステップＳ３において、制御部２５１（図７参照）により、決定された状態が傾きセンサ５３により検出された傾き値が変化する前（イベント発生前）の状態から変更されたと判断された場合には、ステップＳ６１に進む。そして、ステップＳ６１において、使用状態が変更される前の使用状態と、使用状態が変更された使用状態とに基づいて、状態変更の遷移態様が決定され、ステップＳ６６に進む。
【０１０１】
そして、ステップＳ６６において、現在の時間が確認され、ステップＳ６７に進む。そして、ステップＳ６７において、制御部２５１により、変更された使用状態の遷移態様および現在の時間帯（時刻）に対応するアプリケーションプログラムが設定されているか否かが判断される。そして、ステップＳ６７において、現在の時間帯および変更された使用状態の遷移態様に対応するアプリケーションプログラムが設定されていないと判断された場合には、ステップＳ４およびステップＳ５の順に進み、アプリケーションプログラムの起動および維持フローが終了する。また、ステップＳ６７において、現在の時間帯および変更された使用状態の遷移態様に対応するアプリケーションプログラムが設定されていると判断された場合には、ステップＳ６８に進む。
【０１０２】
そして、ステップＳ６８において、制御部２５１により、変更された使用状態の遷移態様と現在の時間帯とに対応する設定されたアプリケーションプログラムが現在使用中のアプリケーションプログラムと同じアプリケーションプログラムであるか否かが判断される。そして、ステップＳ６８において、設定されていたアプリケーションプログラムが現在使用中のアプリケーションプログラムと同じアプリケーションプログラムであると判断された場合には、アプリケーションプログラムを変更する必要がないので、ステップＳ４およびステップＳ５の順に進み、アプリケーションプログラムの起動および維持フローが終了する。また、ステップＳ６８において、設定されていたアプリケーションプログラムが現在使用中のアプリケーションプログラムと同じアプリケーションプログラムではないと判断された場合には、ステップＳ６９に進む。
【０１０３】
その後、ステップＳ６９において、記憶部５２に記憶された変更された使用状態の遷移態様と現在の時間帯とに対応するアプリケーションプログラムが起動される。そして、ステップＳ７０において、変更された使用状態に対応する表示向きに表示方向が変更または表示向きが維持され、アプリケーションプログラムの起動および維持フローが終了する。
【０１０４】
第３実施形態では、上記のように、傾きセンサ５３により検出された使用状態に対応するとともに、検出された使用状態の前の使用状態から検出された使用状態に遷移する際の遷移態様にも対応し、かつ、現在時刻に対応するアプリケーションプログラムを起動することによって、現在の使用状態および現在の時間帯のみならず１つ前の使用状態から現在の使用状態への遷移態様も考慮してアプリケーションプログラムを起動させることができるので、遷移態様の違いに起因するユーザの使用状況の違いも考慮して、より使用状況に適したアプリケーションプログラムを起動させることができる。
【０１０５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０６】
たとえば、上記第１〜第３実施形態では、本発明の携帯情報表示端末の使用状態検出手段の一例として傾きセンサを用いた例について示したが、本発明はこれに限られない。載置面に載置されている２つの使用状態（立てた状態および寝かせた状態）と手で把持する使用状態との３つの使用状態を検出可能な検出手段であれば、傾きセンサ以外の検出手段を用いてもよい。
【０１０７】
また、上記第１〜第３実施形態では、立てた状態、寝かせた状態および手持ち状態のいずれの状態に状態を変更した場合にも、アプリケーションを自動的に起動するように構成した例について示したが、本発明はこれに限られない。たとえば、立てた状態および寝かせた状態の場合のみ、アプリケーションを自動的に起動するようにしてもよい。
【０１０８】
また、上記第１〜第３実施形態では、傾きセンサがフレームおよび液晶表示部を載置面に立てて使用する立てた状態、フレームおよび液晶表示部を載置面に寝かせて使用する寝かせた状態、および、フレームを手で把持して使用する手持ち状態のいずれかのみを検出する例について示したが、本発明はこれに限られない。たとえば、立てた状態、寝かせた状態および手持ち状態に加えて、携帯情報表示端末を壁面に引っ掛けて保持するなど、立てた状態、寝かせた状態および手持ち状態以外の使用状態を検出するようにしてもよい。
【０１０９】
また、上記第１〜第３実施形態では、傾きセンサがフレームおよび液晶表示部を載置面に立てて使用する立てた状態、および、フレームおよび液晶表示部を載置面に寝かせて使用する寝かせた状態に載置可能な外形形状にフレームを構成した例について示したが、本発明はこれに限られない。別部材のスタンドなどをフレーム（筐体）に取り付けることにより、傾きセンサがフレームおよび液晶表示部を載置面に立てて使用する立てた状態、および、フレームおよび液晶表示部を載置面に寝かせて使用する寝かせた状態に載置するようにしてもよい。
【０１１０】
また、上記第１〜第３実施形態では、使用状態が変更された場合のみに現在の時刻を確認する処理を行う例について示したが、本発明はこれに限られない。使用状態が変更されていない場合にも現在の時刻を確認する処理を行うようにしてもよい。
【０１１１】
また、上記第１〜第３実施形態では、リモコンモード時に、制御対象機器に対してリモコン信号を含む赤外線を出射することにより、制御対象機器のリモコン制御を行う例について示したが、本発明はこれに限られない。たとえば、Ｂｌｕｅｔｏｏｔｈ（登録商標）およびＺｉｇｂｅｅ（登録商標）などの無線通信規格を用いることにより制御対象機器のリモコン制御を行うようにしてもよい。
【０１１２】
また、上記第１〜第３実施形態では、説明の便宜上、制御部の処理動作をスタート時はイベント駆動的に記載し、スタート以降の処理動作はフロー駆動的に記載したフローチャートを用いて説明したが、本発明はこれに限られない。制御部の処理動作を完全なイベント駆動型で行ってもよいし、完全なフロー駆動型で行ってもよいし、並行処理的に行ってもよい。
【０１１３】
また、上記第１および第３実施形態では、設定されたアプリケーションプログラムがない場合には、現在のアプリケーションプログラムをそのまま維持するように構成するとともに、第２実施形態では、学習されたアプリケーションプログラムがない場合には、現在のアプリケーションプログラムをそのまま維持するようにしたが、本発明はこれに限られない。起動するアプリケーションプログラムの設定や学習が行われていない場合には、使用状態に対応するデフォルトのアプリケーションプログラムが起動されるようにしてもよい。
【０１１４】
また、上記第２実施形態では、ある使用状態で最初に一定時間以上使用されたアプリケーションプログラムを記憶部に記憶（学習）させるとともに、次に別の使用状態からその使用状態に切り替えられた場合に、前回に記憶部に記憶されたアプリケーションプログラムを起動させる例について示したが、本発明はこれに限られない。たとえば、ある使用状態で最後に使用されたアプリケーションプログラムを記憶部に記憶（学習）させるとともに、次に別の使用状態からその使用状態に切り替えられた場合に、前回に記憶部に記憶されたアプリケーションプログラムを起動させてもよい。また、ある使用状態において使用されたアプリケーションプログラムの回数のうち最も多いアプリケーションプログラムを記憶部に記憶（学習）させるとともに、次に別の使用状態からその使用状態に切り替えられた場合に、記憶部に記憶されたアプリケーションプログラムを起動させるようにしてもよい。
【符号の説明】
【０１１５】
１  携帯情報表示端末
１０  液晶表示部（表示部）
２０  フレーム（筐体）
５１、１５１、２５１  制御部
５１ａ  タイマー（時刻検出手段）
５２  記憶部
５３  傾きセンサ（使用状態検出手段）
１００  載置面
【図１】
0005625462.tif 000002
【図２】
0005625462.tif 000003
【図３】
0005625462.tif 000004
【図４】
0005625462.tif 000005
【図５】
0005625462.tif 000006
【図６】
0005625462.tif 000007
【図７】
0005625462.tif 000008
【図８】
0005625462.tif 000009
【図９】
0005625462.tif 000010
【図１０】
0005625462.tif 000011
【図１１】
0005625462.tif 000012
【図１２】
0005625462.tif 000013
【図１３】
0005625462.tif 000014
【図１４】
0005625462.tif 000015
【図１５】
0005625462.tif 000016
【図１６】
0005625462.tif 000017